(57)【特許請求の範囲】
【請求項１】
所定長さの横木と縦木を複数用意し、法面上に前記横木と前記縦木を格子状になるように組み合わせて配置し、アンカーを横木・縦木に貫通させて法面に打ち込んで法面に横木・縦木を固定し、前記横木・前記縦木を貫通させて格子状に縦横のロープをはり渡し、法面表面に複数の横木と縦木を格子状に接地し、縦横のロープとアンカーでこれらを固定して木製の法面補強枠を構築することを特徴とする木組み法面保護工法。
【請求項２】
格子状の一つの格子の上辺及び下辺がそれぞれ一本の横木で構成され、格子状の一つの格子の左辺及び右辺がそれぞれ一本の縦木で構成され、前記横木及び前記縦木を格子の交点位置でそれぞれ傾動可能に連結した請求項１記載の木組み法面保護工法。
【請求項３】
格子状にはり渡したロープの交差部分を金具で連結した請求項１又は２に記載の木組み法面保護工法。
【請求項４】
格子状にはり渡したロープの交差部分を互いに編み込むようにした請求項１又は２に記載の木組み法面保護工法。
【請求項５】
横木と縦木で形成した格子内に栽培用の土と植物の種子を設置した請求項１〜４いずれかに記載の木組み法面保護工法。
【請求項６】
法面の下側から順に上側に向って横木と縦木を格子状に設置し、設置した横木と縦木の格子を足場にしてその上方の横木と縦木を格子状に設置し、設置後にロープを横木・縦木に貫通させて格子状に縦横のロープをはり渡すようにした請求項１〜５いずれかに記載の木組み法面保護工法。
【発明の詳細な説明】
【０００１】
【発明の属する技術分野】
本発明は、地盤の法面・切土・垂直壁面（明細書中法面と総称する）にアンカーと繊維ロープ・化学繊維ロープ・金属製のワイヤーロープ・多条ロープ（明細書中ロープと総称する）を用いて木製の法面補強枠を固定して法面が崩壊・崩落しないように法面を安定・保護する木組み法面保護工法に関する。
【０００２】
【従来の技術】
従来において、法面を安定・保護するためには、コンクリートを法面に直接吹付けたり、芝などの植物を植るなどの工法が取られていた。
しかし、芝などの植物は根を十分にはらないと雨による法面表土の流出を抑える効果が十分でなく、根を十分にはるためには時間がかかっていた。
コンクリートを法面に直接吹付けてコンクリートで法面の表面を固める工法では、雨による法面表土の流出を抑えることはできるが、施工に時間がかかりコストが高いものになっていた。
【０００３】
【発明が解決しようとする課題】
本発明が解決しようとする課題は従来のこれらの問題を解消し、簡単に法面に設置することができ、雨による法面表土の流出を抑えることができ、緑化に有利で、木製の法面補強枠とロープを用いるようにしてコストを抑制した木組み法面保護工法を提供することにある。
【０００４】
【課題を解決するための手段】
かかる課題を解決した本発明の構成は、
１）  所定長さの横木と縦木を複数用意し、法面上に前記横木と前記縦木を格子状になるように組み合わせて配置し、アンカーを横木・縦木に貫通させて法面に打ち込んで法面に横木・縦木を固定し、前記横木・前記縦木を貫通させて格子状に縦横のロープをはり渡し、法面表面に複数の横木と縦木を格子状に接地し、縦横のロープとアンカーでこれらを固定して木製の法面補強枠を構築することを特徴とする木組み法面保護工法
２）  格子状の一つの格子の上辺及び下辺がそれぞれ一本の横木で構成され、格子状の一つの格子の左辺及び右辺がそれぞれ一本の縦木で構成され、前記横木及び前記縦木を格子の交点位置でそれぞれ傾動可能に連結した前記１）記載の木組み法面保護工法
３）  格子状にはり渡したロープの交差部分を金具で連結した前記１）又は２）に記載の木組み法面保護工法
４）  格子状にはり渡したロープの交差部分を互いに編み込むようにした前記１）又は２）に記載の木組み法面保護工法
５）  横木と縦木で形成した格子内に栽培用の土と植物の種子を設置した前記１）〜４）いずれかに記載の木組み法面保護工法
６）  法面の下側から順に上側に向って横木と縦木を格子状に設置し、設置した横木と縦木の格子を足場にしてその上方の横木と縦木を格子状に設置し、設置後にロープを横木・縦木に貫通させて格子状に縦横のロープをはり渡すようにした前記１）〜５）いずれかに記載の木組み法面保護工法
にある。
【０００５】
【作用】
本発明において、法面を保護・安定するためには、所定長さの横木と縦木を法面上に格子状に組み合わせて配置する。次に配置した横木と縦木にアンカーを貫通させて法面に打ち込んで横木と縦木を固定し、横木と縦木を貫通させて格子状にロープをはり渡して法面上に木製の法面補強枠を構築する。木製の横木、縦木とロープを用いることで安価な構成にすることができ、格子状に組み合わせることで強度を強くする。さらに格子状にはり渡したロープによってさらに格子の強度は強くなり、法面補強枠を安定して法面に固定できる。
格子の上辺・下辺を一本の横木で構成し、格子の左辺・右辺を一本の横木で構成し、それぞれを傾動可能に連結したものは、格子の四隅となる位置がそれぞれ法面の凹凸に合わせて、法面に対して垂直となる方向に移動することを可能にする。
格子状にはり渡したロープの交差部分を金具で保持したものは、縦横のロープが相方の強度で交差部分を支持するようにして強度を強くして格子の保持を行なうことができる。
格子状にはり渡したロープの交差部分を互いに編み込むようにしたものは、縦横のロープを交差部分で編み込んで一体として強度を強くして格子の保持を強く行なうことができる。
格子内に栽培用の土と植物の種子を設置したものは、格子によって栽培用の土が流出するのを防ぎ、植物の種子が格子内で生育するようにし、植物の根が法面の地中にはるようにして植物によって法面を長期的に安定・保護できるようにする。
法面の下側から順に上側に向って横木と縦木を格子状に設置していくようにしたものは、下側に格子状に組んだ横木と縦木を足場にして順に上側に組んでいくことができる。
【０００６】
【発明の実施の形態】
ロープには化学繊維製のものや、金属線を用いたワイヤロープなどがあり、所定の強度があれば、どのようなものを用いてもかまわない。
アンカーは地面又は法面に確実に固定できるように打ち込み用の棒状になっているものや板止めを備える形状になったものを用途に合わせて用いるのが好ましい。
縦木と横木との連結部分は、金具を用いて連結してもよいし、接着や紐等で固定するものでもよい。さらに縦木と横木によって構成される法面補強枠が法面の凹凸に合わせて一部変形可能となるよう縦木と横木がそれぞれ傾動できるように連結されるのが望ましい。
縦木及び横木は断面が角形状でも円形状でもどのようなものでもよい。
ロープの太さは、必要な強度、張力、ロープの材質から決められる。
ロープの交差部分を連結する金具は、金具に設けた内穴に交差させたロープを通すものや、クリップなどによって固定するものなどがあり、格子状に横木・縦木を設置後にロープを張る場合には、交差部分はゆるい嵌合にして、縦横のロープがいずれも直線的に張ることができるのが好ましい。
横木・縦木には間伐材などの廃材を使用してコストを抑制するのが好ましい。
格子の間隔は運搬性，施工性，法面の起伏への対応を考慮すると１ｍ前後が好ましい。
横木及び縦木の格子の交点位置でのそれぞれ傾動自在な連結には、金具やボルトナット・木製の軸を用いて軸支してもよいし、法面に合わせて傾けた状態でアンカーによって固定し、その状態で金具等で連結するようにしてもよい。
【０００７】
【実施例】
本発明の各実施例について図面を参照して具体的に説明する。
図１〜３に示す実施例は、間伐材を横木及び縦木として用い、化学繊維製のロープを用い、格子状の一つの格子の上辺及び下辺がそれぞれ一本の横木で構成され、格子状の一つの格子の左辺及び右辺がそれぞれ一本の縦木で構成され、横木及び縦木をそれぞれ傾動可能に連結し、格子状にはり渡したロープの交差部分を金具で固定し、法面の下側から順に上側に向って横木と縦木を格子状に設置していくようにした木組み法面保護工法の例である。
図１は、実施例の木組み法面保護工法の説明図である。図２は、実施例の木組み法面保護工法の説明図である。図３は、実施例の木組み法面保護工法の説明図である。図４は、実施例１の木組み法面保護工法の説明図である。
図中、１は法面補強枠、２は横木、２ａはロープ用穴、３は縦木、３ａはロープ用穴、４は横ロープ、５は縦ロープ、６は補強金具、７は主アンカー、８は補助アンカー、９はクロスリング、１０はＬ字金具、１１はボルト、１２はナット、１３はワッシャー、１４は止め金具、１５は羽根付アンカー、１６は植生どのう、１７はカヤ株、ａは法面である。
本実施例では、図１〜４に示すように法面に木製の法面補強枠を構築する。
【０００８】
横木２及び縦木３は格子状の一つの格子の一辺の長さとなるよう短いものにし、間伐材の四角柱形状のものを用いている。実施例１の横木２及び縦木３の寸法は、縦９ｃｍ，横９ｃｍ、長さ１１０ｃｍである。この横木２及び縦木３の中央部分に直径１２ｍｍのロープを通すための直径が１２ｍｍより大きい貫通したロープ用穴２ａ，３ａを設ける。また、横木２及び縦木３の両端近くにはボルトを通すための取付用の穴を設ける。この取付用の穴はボルトより大きく遊びとなる部分を設けておき、横木２及び縦木３が傾動できるようにする。
横ロープ４，縦ロープ５には実施例１では強度の強い化学繊維製のロープを用いている。横ロープ４，縦ロープ５は直径が１２ｍｍのものを用いている。
補強金具６はコ字状の金属製で、両端が鋭い形状になっている。
主アンカー７は金属製の棒状のもので、後端部分を折り返して止め部を形成している。
補助アンカー８は主アンカー７より短い金属製の棒状のもので、後端部分を折り返して止め部を形成している。
クロスリング９は直径５ｍｍの亜鉛鉄線を外径が５０ｍｍとなるように環状にしたものである。
Ｌ字金具１０は金属板を略直角に突き合わせるか又は略直角に曲げるようにして形成し、各面にはボルトを取り付けるための貫通穴を設けている。
ボルト１１，ナット１２，ワッシャー１３は金属製のものを用いている。
止め金具１３は金属製で棒状のものである。
羽根付アンカー１５は金属製で棒状のアンカーに打ち込んだアンカーが抜けないようにストッパとなる羽根を設けたものである。
植生どのう１６はどのう用の袋に土を詰め込んだものである。
【０００９】
これらを用いて法面に木製の法面補強枠を構築するには、まず図４（ａ）に示すように法面の最下部に一段目となる格子を形成する。法面ａの最下部に複数の横木２の両端を別の横木２の端に合わせるように配置し、補強金具６で横木２の端と端をかけ渡すようにして取り付ける。これにより横木２は横に長い一本の状態となる。次にそれぞれの横木２の両端近くを貫通するように主アンカー７を打ち込み、さらに主アンカー７の先端側が法面に突き刺さるように打ち込み、主アンカー７の後端の止め部が横木２に当たるところまで打ち込むようにする。このようにして両端近くを主アンカー７によって法面に取り付けて横木２を取り付ける。次に横木２と横木２を突き合わせた部分から法面の上方に向うよう縦木３を配置する。次に継木３の両端近くの２箇所を貫通するように補助アンカー８を打ち込み、さらに補助アンカー８の先端側が法面に突き刺さるように打ち込み、補助アンカー８の後端の止め部が縦木３に当たるところまで打ち込むようにする。
このように両端近くを補助アンカー８によって法面に取り付けて縦木３を取り付ける。次に最下部に設けた複数の横木２とそれと垂直に組み合わせた縦木３の接する角部の両側にＬ字金具１０を配置してＬ字状の各面の貫通穴と横木２又は縦木３を貫通させてボルト１１，ナット１２，ワッシャー１３を取り付ける。これによって横木２と縦木３を取り付ける。次に２段目となる横木２を設置する。所定の間隔で複数設置されている縦木３の上端位置で横木２の端同士を突き合わせるようにして複数の横木２を配置し、補強金具６で横木２の端と端をかけ渡すようにして取り付ける。これにより横木２は横に長い一本の状態となる。次に横木２の両端近くを貫通するように主アンカー７を打ち込み、さらに主アンカー７の先端側が法面に突き刺さるように打ち込み、主アンカー７の後端の止め部が横木２に当たるところまで打ち込むようにする。次に二段目となる複数の横木２とその下部に垂直に組み合わせた縦木３の接する角部の両側にＬ字金具１０を配置してＬ字状の各面の貫通穴と横木２又は縦木３を貫通させてボルト１１，ナット１２，ワッシャー１３を取り付ける。これによって横木２と縦木３を取り付ける。次に複数の縦木３に設けられたロープ用穴３ａに横ロープ４を通し、横木２と並行になるようにはり渡す。この際に縦木３と縦木３の間の横ロープ４がクロスリング９を貫通させて、一つの格子内の横ロープ４に一つのクロスリング９を取り付けるようにする。ロープ４の両端は、最も側方端の縦木３の外側で止め金具１４に取り付ける。棒状の止め金具１４は縦木３に接するようにしてロープ用穴３ａには入ってはいかないので、ストッパの役目となる。よって両端を止め金具１４で縦木３に取り付けられた横ロープ４は所定の張力ではり渡すことができる。このようにして最下段の格子を設置したならば、この格子状に組み合わせた横木２及び縦木３を足場として用いて下方から順に格子状の法面補強枠１を構築して行く。下方から順に構築して行くことによって構築した部分を足場として使用して行くことができるので、別に足場を組む必要がなくなり、施工が迅速に行えるので、施工のコスト低減と施工期日の短縮に効果がある。また、横木２及び縦木３は長さが１１０ｃｍの短いものであり、軽量でもあるので、運搬や施工が非常に容易で、安全に施工を行える。
このようにして図４（ｂ），（ｃ）に示すように順に上方に法面補強枠１を構築したならば、横木２に設けたロープ用穴２ａに縦ロープ５を貫通させて縦ロープ５が縦木３と並行になるようにはり渡す。縦ロープ５をはり渡す際には、格子内の横ロープ４に取り付けたクロスリング９の内部を縦ロープ５が貫通するようにする。縦ロープ５の両端には、羽根付アンカー１５を取り付け、羽根付アンカー１５を地中に埋め込むように打ち込んで縦ロープ５をはり渡す。羽根付アンカー１５は地上に抜けようとする方向には羽根が大きな抵抗となるので、縦ロープ５の両端は確実に取り付けられる。また、羽根付アンカー１５を取り付ける地盤が岩であるような場合には、必要に応じて羽根付アンカー１５の代わりに岩用アンカーが用いられる。
また、図３に示すように本実施例の法面保護枠１は、法面の凹凸に合わせて構築することができるので、法面に凹凸があっても全体が浮いてしまうようなことがない。よって法面の凹凸に対応できる。
【００１０】
このように法面保護枠１を設置すれば、法面は保護され、格子状の横木２，縦木３，横ロープ４，縦ロープ５によって法面が安定して保持される。法面保護枠１に何らかの外力が加わる場合は、縦横のロープに力が分散されるので法面保護枠１は非常に安定した状態となる。また、法面の表土が雨などにより流出するような場合でも、複数段配置される横木２が堰となって表土の流出を防ぐ。このように、法面の表土の流出を防ぐことによって、法面に飛来する種子などが洗い流されてしまわないようになり、法面の緑化に有利になる。
さらに本実施例ではこのように構築した法面保護枠の格子内に栽培用の土と植物の種子を吹き付ける。種子を吹き付けた横木２，縦木３の格子内には麻製のネットを設置して種子を保護するようにしてもよい。長い年数が経過することによって横木２，縦木３が腐敗して、法面保護枠１は機能を失っていくが、横木２，縦木３が腐敗するのに代わって格子内に吹き付けた種子が生育し、十分に根をはるので、法面は安定する。十分に根がはることによって表土の極端な流出は防がれる。
またこのように法面保護枠１は横木２，縦木３，横ロープ４，縦ロープ５で構成されるので、非常に安価であり、横木２，縦木３は比較的短い木材を使用できるので、間伐材などの廃材を使用すれば、さらに安価で、環境に配慮することができる。
【００１１】
図５に示すのは、実施例の他の例である。
実施例の他の例では、突き合わせるようにした横木２に対して縦木３を取り付ける位置が横木同士を突き合わせた位置から少しズレるようにしている。このように縦木３を取り付ける位置はどのようなものでもよい。
その他符号、構成、作用、使い方は実施例１と同じである。
【００１２】
図６に示すのは、実施例の他の例である。
法面が徐々に構築されるような場合に、それに合わせて法面保護枠を横方向に徐々に長くして行くような場合には、最も側端側となった縦木３に図６に示すように縦木３を合わせてさらに構築するようにしてもよい。
その他符号、構成、作用、使い方は実施例１と同じである。
【００１３】
図７に示すのは、ロープの交差部分を互いに編み込むようにしたロープのはり渡し方の他の例である。このロープのはり渡し方の他の例では、実施例で使用した横ロープ４と縦ロープ５の交差部分にクロスリング９を用いずに、図７に示すように横ロープ４と縦ロープ５を交互に編み込むようにして、横ロープ４と縦ロープ５を係合させて強度を強くしている。このようにして横ロープ４と縦ロープ５を用いるようにしてもよい。
その他符号、構成、作用、使い方は実施例と同じである。
【００１４】
図８に示すのはロープの交差部分の他の例を示す説明図である。
図中、１８は横ロープ、１９は縦ロープである。
ロープの交差部分の他の例では、横ロープ１８及び縦ロープ１９が複数紐状のものをより合わせた多条になったものを用い、横ロープ１８と縦ロープ１９の交差部分のよりを互いにといた状態にして、横ロープ１８のよりをといた部分と縦ロープ１９のよりをといた部分を編み合わせるようにして横ロープ１８と縦ロープ１９を係合させる。このようにして横ロープ１８と縦ロープ１９を係合させて一体となるようにしてロープが力を分散して受けるようにしてさらに強度を強くできるようにしてもよい。
その他符号、構成、作用、使い方は実施例と同じである。
【００１５】
【発明の効果】
本発明によれば、軽量な縦木・横木及びロープの組み合わせにより簡単に法面に設置することができ、格子状に組んだ木で雨による法面表土の流出を抑えることができ、緑化に有利で木製の法面補強枠とロープを用いるようにしてコストを抑制した木組み法面保護工法にできる。
格子の上辺・下辺を一本の横木で構成し、格子の左辺・右辺を一本の縦木で構成し、それぞれを傾動可能に連結したものは、法面に凹凸があっても全体が浮いてしまうようなことがない木組み方面保護工法にできる。
格子状にはり渡したロープの交差部分を金具で保持したものは、ロープにかかる力を他方に伝達してロープの浮き上りを防ぎ、また法面補強枠をロープで分散して保持してさらに確実に法面補強枠を法面に安定して保持できる。
格子内に栽培用の土と植物の種子を設置したものは、木製の法面補強枠が腐敗しても恒久的に法面を安定させ保護できるようにする。
法面の下側から順に上側に向って横木と縦木を格子状に設置していくようにしたものは、下側に設置した格子状の横木を足場として使用でき、別の足場を設けないようにしてコストが低減でき、施工期日を短縮することができる。
【図面の簡単な説明】
【図１】実施例の木組み法面保護工法の説明図である。
【図２】実施例の木組み法面保護工法の説明図である。
【図３】実施例の木組み法面保護工法の説明図である。
【図４】実施例の木組み法面保護工法の説明図である。
【図５】実施例の木組み法面保護工法の他の例の説明図である。
【図６】実施例の木組み法面保護工法の他の例の説明図である。
【図７】実施例の木組み法面保護工法のロープのはり渡し方の他の例の説明図である。
【図８】実施例の木組み法面保護工法のロープの交差部分の他の例を示す説明図である。
【符号の説明】
１  法面補強枠
２  横木
２ａ  ロープ用穴
３  縦木
３ａ  ロープ用穴
４  横ロープ
５  縦ロープ
６  補強金具
７  主アンカー
８  補助アンカー
９  クロスリング
１０  Ｌ字金具
１１  ボルト
１２  ナット
１３  ワッシャー
１４  止め金具
１５  羽根付アンカー
１６  植生どのう
１７  カヤ株
１８  横ロープ
１９  縦ロープ
ａ  法面
【図１】
0003650547.tif 000002
【図２】
0003650547.tif 000003
【図３】
0003650547.tif 000004
【図４】
0003650547.tif 000005
【図５】
0003650547.tif 000006
【図６】
0003650547.tif 000007
【図７】
0003650547.tif 000008
【図８】
0003650547.tif 000009